(57)【要約】  【課題】複数の室内機がグループ化された空調空間内における温度設定制限下の空調機システムにおいて、さまざまな要因で生じる温度の不調和を緩和し、管理者が煩雑な温度管理を行うことなく利用者の快適性を確保し、使用電力量の削減効果を維持する。【解決手段】空調機システムは室内機本体に温度を測定する温度検出部と、同室内機を制御する制御部と、室内機グループで基準となる温度を測定する室温検出手段と、室内機グループへ指示を与えるワイヤードリモコンと同リモコンの制御部を備えている。室内機制御部は、指定された制限温度と室内機本体の温度との温度差から記憶部に格納された制限解除管理テーブルを参照し制限解除データをワイヤードリモコンへ送信し、制限解除データを受信したリモコン制御部は、利用者による制限解除範囲内での温度設定の変更を入力可能として設定温度が入力されると室内機へ設定温度変更データを送信する。【選択図】図４
2013076525.tif 000002
【特許請求の範囲】
【請求項１】
グループ化された複数の室内機と、同室内機の設定温度の設定限度値である制限温度を前記室内機へ指示する集中管理装置と、前記グループ化された室内機が配置された一カ所の室温である基準温度を測定する室温検出手段と、前記グループ化された前記室内機へ指示を与えるワイヤードリモコンとを備え、
前記ワイヤードリモコンは、前記室内機と通信を行うリモコン通信部と、リモコン記憶部と、利用者が指示した前記設定温度を入力するキー入力部と、これらを制御すると共に
、前記設定温度を前記室内機へ送信するリモコン制御部とを備え、
前記室内機は前記集中管理装置と通信する室内機通信部と、ワイヤードリモコンと通信する室内機リモコン通信部と、前記室内機周辺の室温である室内機測定温度を検出する室内機温度検出部と、室内機記憶部と、これらを制御する室内機制御部とを備え、
前記室内機記憶部には前記基準温度と前記室内機測定温度との温度差と、前記制限温度の限度の緩和可能温度である制限解除許可温度とを前記温度差に対応して予め記憶した制限解除管理テーブルが格納され、
前記室内機制御部は、前記基準温度が前記ワイヤードリモコンから指示された前記設定温度になるように運転し、前記制限温度が指示されていた場合、同制限温度を前記ワイヤードリモコンへ送信し、前記室温検出手段で検出した基準温度と前記室内機温度検出部で検出した前記室内機測定温度との温度差である算出温度差を算出し、同算出温度差と対応する前記制限解除管理テーブルの温度差を検索し、検索された前記温度差に対応する前記制限解除許可温度を抽出し、同制限解除許可温度を前記ワイヤードリモコンへ送信し、
前記ワイヤードリモコンのリモコン制御部は、受信した前記制限温度及び前記制限解除許可温度を前記リモコン記憶部に記憶し、前記設定温度が入力され同設定温度が前記制限温度を前記制限解除許可温度で緩和した限度値以内の時、前記設定温度を受け付けて制限解除許可温度を受信した前記室内機へ送信し、制限緩和運転することを特徴とする空調機システム。
【請求項２】
前記制限解除管理テーブルに、同制限解除管理テーブルの前記温度差に対応して前記制限解除許可温度の有効時間である復帰時間を予め追加記憶し、
前記室内機制御部は、前記制限解除許可温度を抽出すると同時に前記復帰時間も抽出し
、同復帰時間を前記ワイヤードリモコンへ送信し、
前記リモコン制御部は、同復帰時間を受信して前記リモコン記憶部へ記憶し、前記設定温度を受け付けて前記室内機へ送信した時、前記復帰時間のタイマを起動し、
同復帰時間のタイマが終了した時、以降に入力される前記設定温度が前記制限温度以内
の時のみ前記設定温度を受け付けることを特徴とする請求項１記載の空調機システム。
【発明の詳細な説明】
【技術分野】
【０００１】
本発明は、グループ化された複数の室内機に対し共通の温度制御を行う空調機システムに係わり、より詳細には、集中管理装置で指示された設定温度の限度値以内で運転される室内機の設定温度操作の受付制限制御に関する。
【背景技術】
【０００２】
空調機システムは、１台以上の室外機と複数の室内機が同一冷媒配管で接続され、この室外機と室内機と、管理者が使用する集中管理装置と、利用者が使用するリモコンとが通信線で接続された構成により、集中管理装置から各室内機やグループ化された複数の室内機、また通信線で接続されたその他各装置への運転指示などを行うことができ、オフィスビルや商業施設など建屋全体または広域の空調空間での空調機管理を実施する。
【０００３】
このような複数の室内機からなる空調機システムでは、環境への配慮や電気料金の節約の目的から省エネルギー機能を有した物が多数商品化されている。さらに近年では、社会的な使用電力量の制約を背景に、電力の大口需要家に対する電力使用制限令が電気事業法に基づき発令され、この空調機システムを所有する一定規模の事業者には使用電力量の削減が義務化されている。
使用電力量の削減対策として例えば、空調運転時の設定温度を控えめにする事が有効と知られており、冷房時であれば室温が２８℃となるように空調運転を管理し、２８℃以下となった場合に冷房運転を停止するといった制限を実施しているが、時々刻々と変化する空調環境やこれに関わる様々な条件により、利用者全体に制限温度である室温２８℃の環境を安定して提供することは極めて困難であり、設定温度を基準とした制限では使用電力量の削減効果はあるものの利用者の快適性が損なわれることがあり、使用電力量の削減対策に理解を得ることが難しいという問題があった。
【０００４】
このように制限温度による使用電力量の削減と、利用者の快適性確保とは相反するものであり、個人や家族など少人数で利用する空調機や小規模な空調機システムにおいては比較的容易に実施可能な場合が多いが、使用電力量の削減が義務化されている大人数が利用するような空調機システムにおいては、利用者と管理者の利害関係や、利用者間での不公平感が生じることもあり、管理者には使用電力量の削減効果と利用者の快適性や公平性維持といったバランス調整が求められ、対策の実施に極めて苦慮しているといえる。
【０００５】
上記のような問題を解決するために、例えば冷房運転の場合に室内機で測定された室温が、管理装置で予め定められた室温の制限値を下回った場合に、リモコンでの運転/停止ボタンの受付を禁止し、室内機で測定された室温が、管理装置で予め定められた室温の制限値を上回った場合に、リモコンでの運転/停止ボタンの受付の禁止を解除し、管理装置で予め定めた各リモコンの設定温度の制限値以上の室温調節を許可する空気調和システムが開示されている（例えば、特許文献１参照）。
この空気調和システムによれば、使用電力量の削減運転を実施しつつも、利用者の快適性を確保することができる。
【先行技術文献】
【特許文献】
【０００６】
【特許文献１】特開２００３−２７９１１２号公報（第５〜１１頁、図１〜７）
【発明の概要】
【発明が解決しようとする課題】
【０００７】
しかしながら、上記の空気調和システムでは管理装置で予め定めたリモコンの制限解除温度を決定する設定温度が、同じく管理装置で予め定めた制限解除の可否を判断する室内温度の制限値以上で設定されている場合には、制限によりその室内機の温度調節が不能となる。つまり、利用者の快適性を確保（室温調節を許可）するためには、管理者が予め各室内機の空調空間毎の特性を把握した上で、各リモコンの制限解除温度を決定する設定温度を細かく設定する必要があり、容易に使用電力量の削減対策を実施することができないという問題があった。
【０００８】
そこで、本発明の目的は、管理者が各室内機（空調空間）毎の特性などの知識が無くても、使用電力量の削減と利用者の快適性の確保を行うことができる空調機システムを提供することにある。
【課題を解決するための手段】
【０００９】
本発明は上述の課題を解決するため、本発明の請求項１に記載の発明は、グループ化された複数の室内機と、同室内機の設定温度の設定限度値である制限温度を前記室内機へ指示する集中管理装置と、前記グループ化された室内機が配置された一カ所の室温である基準温度を測定する室温検出手段と、前記グループ化された前記室内機へ指示を与えるワイヤードリモコンとを備え、
前記ワイヤードリモコンは、前記室内機と通信を行うリモコン通信部と、リモコン記憶部と、利用者が指示した前記設定温度を入力するキー入力部と、これらを制御すると共に
、前記設定温度を前記室内機へ送信するリモコン制御部とを備え、
前記室内機は前記集中管理装置と通信する室内機通信部と、ワイヤードリモコンと通信する室内機リモコン通信部と、前記室内機周辺の室温である室内機測定温度を検出する室内機温度検出部と、室内機記憶部と、これらを制御する室内機制御部とを備え、
前記室内機記憶部には前記基準温度と前記室内機測定温度との温度差と、前記制限温度の限度の緩和可能温度である制限解除許可温度とを前記温度差に対応して予め記憶した制限解除管理テーブルが格納され、
前記室内機制御部は、前記基準温度が前記ワイヤードリモコンから指示された前記設定温度になるように運転し、前記制限温度が指示されていた場合、同制限温度を前記ワイヤードリモコンへ送信し、前記室温検出手段で検出した基準温度と前記室内機温度検出部で検出した前記室内機測定温度との温度差である算出温度差を算出し、同算出温度差と対応する前記制限解除管理テーブルの温度差を検索し、検索された前記温度差に対応する前記制限解除許可温度を抽出し、同制限解除許可温度を前記ワイヤードリモコンへ送信し、
前記ワイヤードリモコンのリモコン制御部は、受信した前記制限温度及び前記制限解除許可温度を前記リモコン記憶部に記憶し、前記設定温度が入力され同設定温度が前記制限温度を前記制限解除許可温度で緩和した限度値以内の時、前記設定温度を受け付けて制限解除許可温度を受信した前記室内機へ送信し、制限緩和運転することを特徴とする。
【００１０】
また、本発明の請求項２に記載の発明は、前記制限解除管理テーブルに、同制限解除管理テーブルの前記温度差に対応して前記制限解除許可温度の有効時間である復帰時間を予め追加記憶し、
前記室内機制御部は、前記制限解除許可温度を抽出すると同時に前記復帰時間も抽出し
、同復帰時間を前記ワイヤードリモコンへ送信し、
前記リモコン制御部は、同復帰時間を受信して前記リモコン記憶部へ記憶し、前記設定温度を受け付けて前記室内機へ送信した時、前記復帰時間のタイマを起動し、
同復帰時間のタイマが終了した時、以降に入力される前記設定温度が前記制限温度以内
の時のみ前記設定温度を受け付けることを特徴とする。
【発明の効果】
【００１１】
以上の手段を用いることにより、本発明による空調機システムによれば、
制限温度を定めることで使用電力量の削減対策を実施する場合にも、各室内機センサで測定した温度と制限温度との温度差に対応した温度範囲に室温設定の制限を緩和することで利用者の快適性を確保しつつ、管理者が使用電力量の削減対策を実施できる。
【図面の簡単な説明】
【００１２】
【図１】本発明による空調機システムの実施例を示すブロック図である。
【図２】本発明による室内機の実施例を示すブロック図である。
【図３】本発明によるワイヤードリモコンの実施例を示すブロック図である。
【図４】本発明による室内機グループＸの動作を説明する説明図である。
【図５】本発明による温度制御を説明する制限解除管理テーブルである。
【図６】本発明による室内機制御部の処理を説明するフローチャートである。
【図７】本発明によるワイヤードリモコン制御部の処理を説明するフローチャートである。
【発明を実施するための形態】
【００１３】
本発明は、空調機システムにおいて使用電力量の削減対策などの目的で集中管理装置から指示された制限温度による温度制御が行われる室内機グループ共通の空調空間で、外気温、直射日光、人口密度、出入口の利用頻度など、さまざまな要因で生じる空調空間内での温度の不調和に対し、各室内機センサで測定した室温と制限温度との温度差に対応した温度範囲に室温設定の制限を解除することで、利用者による一定の範囲での温度設定を可能とするものである。
以下、本発明の実施の形態を、添付図面に基づいた実施例として詳細に説明する。
尚、本発明は以下の実施形態に限定されることなく、本発明の主旨を逸脱しない範囲で種々変形することが可能である。
【実施例１】
【００１４】
図１は、本発明による空調機システムの実施例を示すブロック図である。この空調機システムは、集中管理装置３０と、室外機４０と、グループＸにグループ化された複数の室内機１０ａ，１０ｂ，１０ｃと、グループＸの複数の室内機へ共通の運転指示を与えるワイヤードリモコン２０ａと、グループＹにグループ化された複数の室内機１０ｄ，１０ｅと、グループＹの複数の室内機へ共通の運転指示を与えるワイヤードリモコン２０ｄとを備え、集中管理装置３０と、室外機４０と、室内機１０ａ，１０ｂ，１０ｃ，１０ｄ，１０ｅとは通信線１で、グループＸの室内機１０ａ，１０ｂ，１０ｃとワイヤードリモコン２０ａとはリモコン通信線２で、グループＹの室内機１０ｄ，１０ｅとワイヤードリモコン２０ｄとはリモコン通信線３でそれぞれ通信接続されている。
【００１５】
図２は、本発明による室内機１０ａの実施例を示すブロック図である。
この室内機１０ａは他の室内機１０ｂ，１０ｃ，１０ｄ，及び１０ｅと同じ構成であるため、室内機１０ａを代表として説明する。
【００１６】
室内機１０ａは、ワイヤードリモコン２０ａとリモコン通信線２を介してデータ通信を行う室内機リモコン通信部１１と、データを格納する室内機記憶部１３と、温度センサで温度を測定する室内機温度検出部１４と、集中管理装置３０や室外機４０と通信線１を介してデータ通信を行う室内機通信部１５と、これらを制御する室内機制御部１２とを備えている。
【００１７】
図３は、本発明によるワイヤードリモコン２０ａの実施例を示すブロック図である。
このワイヤードリモコン２０ａはワイヤードリモコン２０ｄと同じ構成であるため、ワイヤードリモコン２０ａを代表として説明する。
【００１８】
このワイヤードリモコン２０ａは、利用者が空調機システムのグループＸに意図する運転を指示するために操作するキー入力部２６と、利用者にグループＸの運転状況などの情報を表示する表示部２５と、リモコン通信線２を介してグループ化された複数の室内機Ａ（１０ａ），室内機Ｂ（１０ｂ），室内機Ｃ（１０ｃ）とのデータ通信を行うリモコン通信部２１と、温度センサで室温を測定する室温検出部２４と、制御情報を記憶するリモコン記憶部２３と、これらを制御するリモコン制御部２２とを備えている。
なお、室温検出部２４はグループＸの室内機Ａ（１０ａ），室内機Ｂ（１０ｂ），室内機Ｃ（１０ｃ）で共通となる基準温度を測定する室温検出手段である。室温検出部２４または室温検出手段はワイヤードリモコン２０ａに備えられているとは限らず、グループＸの空調空間のより利用者に近い場所や中心部といった位置に設置・接続される場合、あるいはグループＸの室内機のうち１台の室内機の室内機温度検出部１４を室温検出手段として代用する場合もある。
【００１９】
ここで本実施例で使用する温度に関連する名称ついて説明する。
管理者が集中管理装置から指示する運転温度の制限値を『制限温度』、グループで共通となる室温検出手段で測定した室温を『基準温度』、各室内機の室内機室温転出部１４で測定した温度を『室内機測定温度』、制限温度と室内機測定温度とから計算された温度差を『算出温度差』、利用者による温度設定の入力可能値を『設定可能温度範囲』、制限解除管理テーブルの温度差に応じて制限解除される利用者による温度設定の入力可能値を『制限解除許可範囲』、利用者の操作により入力された温度を上記２種類の範囲のどちらかに係わらず『設定温度』と、それぞれ呼称する。なお、これらについては後で詳細に説明する。
【００２０】
図４は本発明による室内機グループＸの動作を説明する説明図である。
この説明図を用いて、室内機Ａ（１０ａ），室内機Ｂ（１０ｂ），室内機Ｃ（１０ｃ）とワイヤードリモコン２０ａで構成されるグループＸの本発明における温度制御の動作概要を説明する。
【００２１】
図４の説明図において、図４（１）は基準温度と各室内機で測定される室温の推移、図４（２）は室内機制御部１２の処理、図４（３）はリモコン制御部２２の処理、図４（４）は設定温度範囲の制限状態、図４（５）は温度制御の方法を記している。
【００２２】
また、図４（１）〜図４（５）は横軸を時間軸とし時間の経過とともに右側へ遷移し、Ｔ１〜Ｔ４の縦点線は共通するタイミングを示している。
【００２３】
図４（１）において、太線は制限温度を、二重線は基準温度を、点線は室内機Ａ,Ｂ,Ｃ各々の室内機測定温度を、一点鎖線は設定温度を、縦軸の温度に対応させて示している。
Ｔ１〜Ｔ２の範囲では、集中管理装置で指示された制限温度と、グループＸで共通となる基準温度の遷移と、制限温度以内で利用者に許可される設定可能温度範囲とを表している。
Ｔ２〜Ｔ３の範囲では、室内機Ａ（１０ａ），室内機Ｂ（１０ｂ），室内機Ｃ（１０ｃ）のそれぞれの室内機温度検出部１４で測定された室内機測定温度Ａ,Ｂ,Ｃの遷移と、室内機測定温度Ａ,Ｂ,Ｃと制限温度との算出温度差ａ，ｂ，ｃと、同算出温度差に対応して利用者に制限解除される制限解除許可範囲と、制限解除許可範囲を含めて利用者に許可される設定可能温度範囲とを表している。
Ｔ３〜Ｔ４の範囲では、利用者の設定温度入力値と、同設定温度入力によるグループＸで共通となる基準温度の遷移と、室内機測定温度Ａ,Ｂ,Ｃの遷移とを表している。
【００２４】
以降の説明は図４（１）で運転開始時に制限温度と設定温度とが共に２８．０℃に指示及び設定され、基準温度が３２．０℃と測定されているものとする。
図４（２）において室内機制御部１２は、Ｔ１で運転が開始されると集中管理装置３０から受信した制限温度値２８．０℃を室内機記憶部１３に格納し、ワイヤードリモコン２０ａに制限温度設定データとして送信する。図４（５）の温度制御の方法において、各室内機は基準温度値３２．０℃が制限温度値２８．０℃になるように運転する第一の温度制御を開始する。
図４（３）においてリモコン制御部２２は室内機制御部１２から送信された制限温度設定データを受信すると、制限温度値２８．０℃をリモコン記憶部２３に格納し、表示部２５へ制限温度から制限解除許可温度値を減じた制限解除許可温度範囲を計算して表示する
。
図４（４）の設定温度範囲の制限状態は、この時点で基準温度が制限温度に未到達であるため、ワイヤードリモコン２０ａは集中管理装置３０から指示された制限温度範囲以下に設定温度を受付けることが禁止され、制限温度以内となる。
【００２５】
図４（２）において室内機制御部１２は基準温度が制限温度２８．０℃に到達したＴ２で室内機Ａ（１０ａ），室内機Ｂ（１０ｂ），室内機Ｃ（１０ｃ）それぞれの室内機温度検出部１４から室内機測定温度Ａ,Ｂ,Ｃを測定する。ここでは室内機Ａ（１０ａ）の室内機測定温度Ａが２７．２℃、室内機Ｂ（１０ｂ）の室内機測定温度Ｂが２９．８℃、室内機Ｃ（１０ｃ）の室内機測定温度Ｃが３０．４℃と測定された状況とする。
図４（１）において、このように基準温度が制限温度の２８．０℃に到達しても、異なる場所に設置された室内機のそれぞれの室内機測定温度Ａ,Ｂ,Ｃが基準温度と同じ温度に推移するとは限らず、例えば人の数や他の熱源が少ない場所が室内機測定温度Ａ、窓際で直射日光を受け外気温の影響を受けやすい場所が室内機測定温度Ｃ、と言うようにさまざまな要因で温度の不調和が発生することが多く存在する。
【００２６】
図４（２）において室内機制御部１２は、室内機Ａ（１０ａ）の自らが測定した室内機測定温度Ａと制限温度との温度差ａを計算し、算出した算出温度差を元にして制限解除管理テーブルを参照し、温度差毎の制限解除可否と、制限温度の解除許可範囲（温度）と、復帰時間（制限緩和運転の継続時間）との情報を取得し、取得した情報に応じて制限解除可能の場合にはワイヤードリモコン２０ａへ制限解除データを送信する。
この制限解除管理テーブルとは、空調運転の種類と算出温度差に応じて、利用者への制限温度の解除可否と、制限解除時の設定可能温度と、利用者から制限解除許可範囲内での設定温度入力が行われた場合に実施する制限緩和運転の継続時間を決定するために室内機制御部で使用される情報を記憶したテーブルである。なお、詳細については後述する。
【００２７】
室内機制御部１２は温度差ａの−０．８℃を算出し室内機記憶部１３の制限解除管理テーブルを参照する。また他の室内機Ｂ（１０ｂ），室内機Ｃ（１０ｃ）も同様の処理を行う。
そして室内機測定温度Ｂと制限温度との算出温度差ｂの１．８℃と、室内機測定温度Ｃと制限温度との算出温度差ｃの２．４℃とが制限解除管理テーブルから取得した情報により制限解除可能な温度差と判定し、室内機Ｂ（１０ｂ）の制限解除許可温度１．０℃と復帰時間５分の情報を含む制限解除データをワイヤードリモコン２０ａへ送信する。同様に室内機Ｃ（１０ｃ）は制限解除許可温度１．５℃と復帰時間１０分の情報を含む制限解除データをワイヤードリモコン２０ａへ送信する。
【００２８】
図４（３）において室内機Ｂ（１０ｂ）と室内機Ｃ（１０ｃ）から制限解除データを受信したリモコン制御部２２は、各室内機から受信した制限解除データをリモコン記憶部２３へ格納し、それぞれの制限解除データに含まれる制限解除許可温度が大きいものを有効とし、既に取得していた制限温度値に有効とした制限解除データに対応する制限解除許可温度値を減じて算出した制限解除許可範囲を表示部２５へ表示する。
リモコン制御部２２は、室内機Ｂ（１０ｂ）と室内機Ｃ（１０ｃ）とから受信した制限解除データをリモコン記憶部２３へ格納し、制限解除データに含まれる制限解除許可温度
、１．０℃と、１．５℃とを比較し制限解除許可温度が大きい１．５℃の室内機Ｃ（１０ｃ）から受信した制限解除データを有効とし、制限温度値２８．０℃から制限解除許可温度値１．５℃を減じて算出した制限解除許可限度２６．５℃を表示部２５へ表示する。
【００２９】
このリモコン制御部２２の処理により、図４（４）において設定温度範囲の制限状態は
、利用者による温度設定入力が制限解除許可範囲まで緩和され、図４（５）の温度制御の方法において、利用者による温度設定実施まで第一の温度制御を継続する状態となる。
【００３０】
図４（３）においてリモコン制御部２２は、キー入力部２６から利用者による設定温度２６．５℃が入力されたＴ３で、リモコン記憶部２３に設定温度値２６．５℃を格納し、設定温度値２６．５℃の設定温度変更データをグループＸの室内機Ａ（１０ａ），室内機Ｂ（１０ｂ），室内機Ｃ（１０ｃ）のうち、Ｔ３で制限解除データを送信した室内機Ｂ（１０ｂ）と、室内機Ｃ（１０ｃ）とを対象として送信し、リモコン記憶部２３に格納された復帰時間値１０分のタイマカウントを開始する。
なお、利用者は制限解除許可限度２６．５℃よりも高い温度を入力し設定温度とすることが可能であるが、設定温度変更データを制限解除データを送信した室内機を対象として送信し復帰時間値のタイマカウントを開始する制御は、制限解除許可限度２６．５℃から制限温度２８．０℃までの制限解除許可範囲の温度を入力し設定温度とする場合にのみ行われる。
【００３１】
図４（２）において室内機Ｂ（１０ｂ），室内機Ｃ（１０ｃ）の室内機制御部１２は、ワイヤードリモコン２０ａから設定温度値２６．５℃の情報を含む設定温度変更データを受信すると、基準温度値２８．０℃が新たに利用者により入力された設定温度値２６．５℃になるように運転を開始する。図４（５）の温度制御の方法において、設定温度変更データを受信した室内機Ｂ（１０ｂ），室内機Ｃ（１０ｃ）が制限解除運転を行う第二の温度制御に移行し、設定温度変更データを受信していない室内機Ａ（１０ａ）は第一の温度制御を継続する。
【００３２】
図４（３）においてリモコン制御部２２は、Ｔ３で開始したタイマカウントにより、制限解除運転の復帰時間１０分に到達したＴ４で、記憶部２３に格納されている設定温度値２６．５℃と復帰時間値１０分をクリアし、制限解除運転開始前の制限温度値に戻すため
、記憶部２３に格納されている制限温度値２８．０℃を設定温度とした設定温度変更データを室内機Ｂ（１０ｂ），室内機Ｃ（１０ｃ）へ送信する。
【００３３】
図４（２）において室内機Ｂ（１０ｂ），室内機Ｃ（１０ｃ）の室内機制御部１２は、ワイヤードリモコン２０ａから設定温度値２８．０℃の情報を含む設定温度変更データを受信すると、図４（５）の温度制御の方法において、室内機Ｂ（１０ｂ），室内機Ｃ（１０ｃ）は基準温度が設定温度値２８．０℃になるように運転する第一の温度制御に復帰する。
【００３４】
復帰時間１０分に到達したＴ４で行われる上記に説明したリモコン制御部２２と室内機制御部１２との処理により、図４（４）において設定温度範囲の制限状態は制限解除許可範囲への温度設定の入力が禁止され、自動的に元の制限温度以内の制限状態へと復帰する
。
以上が図４に示したグループＸの本発明における温度制御の動作概要の説明である。
なお、図示は省略しているが、Ｔ２から利用者による制限解除許可範囲の設定温度入力が行われるＴ３までの間とＴ４で説明した制御後には、Ｔ２で説明した室内機制御部１２による室内機測定温度と制限温度との算出温度差と、この温度差を元にした制限解除管理テーブル参照による制限解除可否判定と、制限解除可能の場合にワイヤードリモコン２０ａへ制限解除データを送信する処理とが繰り返し行われ、その時点の室内機Ａ（１０ａ）
，室内機Ｂ（１０ｂ），室内機Ｃ（１０ｃ）で測定した室内機測定温度と制限温度との算出温度差に対応した制限管理が随時行われている。
【００３５】
図５は本発明による温度制御を説明する制限解除管理テーブルである。
この制限解除管理テーブルは空調機システムの各室内機の室内機記憶部１３に格納されており、管理者が空調機システムに制限温度を設けて使用電力量の削減対策を実施する場合に生じる室内温度の不調和や、この室内温度の不調和が起因となる利用者の快適性低下を緩和する役割を担うものである。
なお、制限解除管理テーブルは少なくともグループ化された複数の室内機単位で共通の内容となるように管理されている。
【００３６】
制限解除管理テーブルには、暖房運転時と冷房運転時の２種類がありそれぞれ運転中の室内機制御部１２が運転の種類に対応して参照する。例えば冷房運転中の室内機制御部１２は、自らの室内機温度検出部１４で測定した室内機測定温度と集中管理装置３０で指定された制限温度との温度差を計算し、運転の種類と算出温度差とに対応した制限解除管理テーブルを参照し、制限温度の解除可否や制限解除時の設定可能温度を決定するために利用される。
なお、制限解除管理テーブルの項目は、暖房運転時と冷房運転時ともに同様の構成であるため以下の説明では冷房運転時を代表として説明する。
また、本実施例では暖房運転時と冷房運転時の２種類を示しているが、各運転モード共通の１種類のテーブルまたは、各運転モードに応じた２種類以上のテーブルとすることも可能である。
さらにはこの制限解除管理テーブルは、より精密な温度制御管理を希望する管理者により集中管理装置３０などから設定・更新が可能となる様にしてもよい。
【００３７】
次に温度制御管理テーブルの各項目を説明する。
温度制御管理テーブルの横の項目は、左から管理者が指示した制限温度と室内機の室内機温度検出部１４で測定した室内機測定温度との温度差である『温度差』、続いてこの温度差毎に制限解除を行うか否か、制限解除を行う場合には元の制限温度を基準として何℃までの温度設定を許可するかを決定する『制限解除許可温度』、続いて制限解除後に基準温度が利用者が新たに入力した制限解除許可範囲の設定温度になるように制限解除運転する第二の温度制御の継続時間を決定する『復帰時間』である。
【００３８】
例えば管理者が集中管理装置３０から冷房運転時の制限温度を２８．０℃に設定した場合、室内機Ｃ（１０ｃ）の室内機制御部１２は室温検出手段である室温検出部２４で測定された基準温度３２．０℃が制限温度を２８．０℃になるように第一の温度制御を開始する。
【００３９】
第一の温度制御を開始した室内機制御部１２は基準温度が制限温度となった時に、制限温度の２８．０℃と、室内機Ｃ（１０ｃ）の室内機温度検出部１４で測定した室内機測定温度との温度差を算出し室内機Ｃ（１０ｃ）の室内機記憶部１３に格納された制限解除管理テーブルを参照する。
ここで説明する制限解除管理テーブルを参照するタイミングは図４に示すＴ２となる。
【００４０】
次に制限解除管理テーブルを用いた制御について説明する。
制限解除管理テーブルの参照では最初に『温度差』項目の中に算出された温度差に該当する温度差の範囲を検索し、これと対応する『制限解除許可温度』を取得する。ここでは室内機Ｃ（１０ｃ）の室内機温度検出部１４で測定した室内機測定温度がこの時点で３０．５℃となっていることを仮定して以下の説明を行う。
室内機制御部１２は室内機温度検出部１４で測定した室内機測定温度が３０．５℃の場合、制限温度２８．０℃との温度差を２．５℃と算出し、制限解除管理テーブルの『温度差』項目に該当する温度差の範囲は２．１℃〜２．５℃と特定し、これと対応する『制限解除許可温度』１．５℃の制限解除許可温度値を取得する。
なお、本実施例の温度差の分類は１．０℃以下と、５．１℃以上と、１．１℃〜５．０℃を０．５℃単位に８分割したものを記しているが、温度範囲、分類数、各分類内の温度幅、制限解除の可否判断などの諸条件はこれに限るものではない。
【００４１】
次に室内機制御部１２は温度差によって特定された『制限解除許可温度』の情報に従い制限解除の可否を決定し、制限解除の場合には設定解除許可温度値と同様の取得方法で『復帰時間』の復帰時間値を取得する。
なお、本実施例の制限解除可否は取得した『制限解除許可温度』の情報が１．０℃以上の場合に制限解除可能と判断する。そして制限解除許可温度値と、復帰時間値とを制限解除データとして、ワイヤードリモコン２０ａへ送信する。
室内機Ｃ（１０ｃ）の室温がこの時点で３０．５℃と仮定した本実施例の室内機制御部１２は、上記の説明で既に取得した制限解除許可温度値の１．５℃によって制限解除可能と判断し、制限解除許可温度値１．５℃と、制限解除許可温度値と同様の方法で取得した復帰時間値１０分を室内機Ｃ（１０ｃ）からの制限解除データとして、室内機リモコン通信部１１からリモコン通信線２を介してワイヤードリモコン２０ａへ送信する。
【００４２】
制限解除データを受信したワイヤードリモコン２０ａは、既に取得している制限温度値から受信した制限解除データの制限解除許可温度値を減じて制限解除許可範囲を算出し、利用者が制限解除許可範囲の設定温度入力を行えるように表示部２５へ表示する。
制限解除データをリモコン通信部２１で受信した本実施例のリモコン制御部２２は、制限解除許可温度値の１．５℃と復帰時間値の１０分との情報から、制限温度値２８．０℃から制限解除データの制限解除許可温度値１．５℃を減じた２６．５℃を制限解除許可範囲の下限として算出する。
そして利用者による制限解除許可範囲の設定温度入力が行えるように、制限解除状態と
、算出した制限解除許可範囲２６．５℃とを表示部２５に表示し利用者の新たな設定温度の変更によりキー入力部２６からの操作が実施されるまで待機する。
このリモコン制御部２２の制御が行われるまでの時間が図４に示すＴ２〜Ｔ３となり、この制限解除管理テーブルは、Ｔ２〜Ｔ３とＴ４以降のタイミングで各室内機の室内機制御部１２の処理で室内機記憶部１３から読出し参照するものである。
【００４３】
なお、本実施例では制限解除状態と制限解除許可範囲とを表示部２５に表示するように記しているが制限解除データで受信した復帰時間値も合わせて表示してもよい。
あるいは、これらの情報を表示せず利用者による設定温度変更の要求操作に伴いその要求操作を受付けるか否かで制限解除状態と制限解除許可範囲とを示す方法も実施可能である。このように情報を利用者に示す方法は千差万別であるため、本発明は制限解除状態やこれに付随する情報などをワイヤードリモコン２０ａに示す方法を特定するものではないものとする。
【００４４】
次に、本発明に係わる室内機制御部１２の処理動作を、図６に示す室内機制御部１２のフローチャートを用いて説明する。なお、図６に記載のＳＴはステップを表し、これに続く数字はステップ番号を、また、ＹはＹｅｓをＮはＮｏをそれぞれ表している。
【００４５】
図６において室内機制御部１２は、集中管理装置３０からの送信データを室内機通信部１５で受信しているか否かを確認する（ＳＴ１）。集中管理装置３０からの受信データが無い場合（ＳＴ１−Ｎ）、ワイヤードリモコン２０ａからの送信データを室内機リモコン通信部１１で受信しているか否か確認をする（ＳＴ２）。
【００４６】
ワイヤードリモコン２０ａからの受信データが無い場合（ＳＴ２−Ｎ）、ワイヤードリモコン２０ａから受信し室内機記憶部１３に格納された後述する基準温度が設定温度に到達しているか否かを確認する（ＳＴ３）。
【００４７】
後述する基準温度が設定温度に到達した場合（ＳＴ３−Ｙ）室内機の室内機温度検出部１４で室内機測定温度を測定し、この室内機測定温度と制限温度との温度差を算出し、記憶部１３に格納された制限解除管理テーブルを参照し、算出した温度差に対応する制限解除許可温度値と復帰時間値を取得する（ＳＴ４）。続いて取得した制限解除許可温度値により制限解除を行う値か否かを確認する（ＳＴ５）。
【００４８】
制限解除を行う値の場合（ＳＴ５−Ｙ）、室内機リモコン通信部１１からリモコン通信線２を介してワイヤードリモコン２０ａへ制限解除データを送信する（ＳＴ６）。そして
、ＳＴ１へジャンプする。
基準温度が設定温度に到達していない場合（ＳＴ３−Ｎ）と、制限解除管理テーブルから取得した制限解除許可温度値により制限解除を行わない値の場合（ＳＴ５−Ｎ）とは、ＳＴ１へジャンプする。
【００４９】
一方、集中管理装置３０からのデータを室内機通信部１５で受信した場合（ＳＴ１−Ｙ）、受信データが制限温度データか否かを確認する（ＳＴ７）。受信データが制限温度データの場合（ＳＴ７−Ｙ）、受信した制限温度値を室内機記憶部１３に格納し、室内機リモコン通信部１１からリモコン通信線２を介してワイヤードリモコン２０ａへ制限温度値からなる制限温度設定データを送信する（ＳＴ８）。そして、ＳＴ１へジャンプする。
集中管理装置３０からの受信データが制限温度データでは無い場合（ＳＴ７−Ｎ）、例えば運転開始や停止などの受信データであればその内容に従い制御する（ＳＴ９）。そして、ＳＴ１へジャンプする。
【００５０】
一方、ワイヤードリモコン２０ａからのデータを室内機リモコン通信部１１で受信した場合（ＳＴ２−Ｙ）、受信データは設定温度変更データか否かを確認する（ＳＴ１０）。受信データが設定温度変更データの場合（ＳＴ１０−Ｙ）、室内機記憶部１３に格納された設定温度値を受信した設定温度変更データの設定温度値に変更する（ＳＴ１１）。続いて基準温度が受信した設定温度変更データの設定温度値となるように、温度制御運転を開始する（ＳＴ１２）。そして、ＳＴ１へジャンプする。
【００５１】
ワイヤードリモコン２０ａからの受信データが設定温度変更データでは無い場合（ＳＴ１０−Ｎ）、ワイヤードリモコン２０ａからの受信データが基準温度データか否かを確認する（ＳＴ１３）。受信データが基準温度データの場合（ＳＴ１３−Ｙ）、記憶部１３に格納された基準温度値を受信した基準温度データ値に変更する（ＳＴ１４）。そして、ＳＴ１へジャンプする。
なお、ＳＴ１４で室内機記憶部１３に更新した基準温度データが、ＳＴ３で後述とした基準温度である。
ワイヤードリモコン２０ａからの受信データが基準温度データでは無い場合（ＳＴ１３−Ｎ）、例えば風量や風向変更などの受信データであればその内容に従い制御する（ＳＴ１５）。そして、ＳＴ１へジャンプする。
【００５２】
なお、本実施例では室内機の室内機制御部１２が集中監視装置３０から受信した制限温度値を制限温度設定データとしてワイヤードリモコン２０ａへ送信するように記しているが、これに限るものでなく、グループ化された複数の室内機Ａ（１０ａ），室内機Ｂ（１０ｂ），室内機Ｃ（１０ｃ）のうちいずれかの室内機の室内機制御部１２から制限温度設定データをワイヤードリモコン２０ａへ送信してもよい。
【００５３】
次に、本発明に係わるワイヤードリモコン２０ａの処理動作を、図７に示すリモコン制御部２２のフローチャートを用いて説明する。なお、図７に記載のＳＴはステップを表し
、これに続く数字はステップ番号を、また、ＹはＹｅｓをＮはＮｏをそれぞれ表している
。
【００５４】
図７においてリモコン制御部２２は、各室内機からのデータをリモコン通信部２１で受信したか否かを確認する（ＳＴ２１）。室内機からの受信データが無い場合（ＳＴ２１−Ｎ）、キー入力部２６からの利用者によるキー入力の有無を確認する（ＳＴ２２）。
【００５５】
キー入力部２６からの入力が無い場合（ＳＴ２２−Ｎ）、制限解除運転中に行われる復帰時間のタイマカウントにより復帰時間に到達したか否かを確認する（ＳＴ２３）。復帰時間に到達していない場合（ＳＴ２３−Ｎ）、室温検出手段である室温検出部２４で測定した室温を基準温度としてリモコン通信部２１からリモコン通信線２を介してグループ化された複数の室内機へ送信する（ＳＴ２４）。そして、ＳＴ２１へジャンプする。
【００５６】
制限解除運転中に行われる復帰時間のタイマカウントにより復帰時間に到達した場合（ＳＴ２３−Ｙ）、表示部２５に表示される設定温度値と復帰時間値及び記憶部２３に格納された設定温度値と復帰時間値を消去し、リモコン記憶部２３に格納された制限温度値を設定温度とした設定温度変更データをリモコン通信部２１からリモコン通信線２を介して制限解除データを送信した室内機を対象として送信する（ＳＴ２５）。そして、ＳＴ２１へジャンプする。
【００５７】
一方、室内機からのデータをリモコン通信部２１で受信した場合（ＳＴ２１−Ｙ）。リモコン通信部２１で受信したデータが室内機からの制限温度設定データか否かを確認する（ＳＴ２６）。受信したデータが制限温度設定データの場合（ＳＴ２６−Ｙ）、表示部２５に表示された制限温度値と、リモコン記憶部２３に格納された制限温度値とを受信した制限温度値に更新し、受信した制限温度値を設定温度とした設定温度変更データをリモコン通信部２１からリモコン通信線２を介して各室内機へ送信する。
さらにリモコン記憶部２３に格納された現在の運転で使用されている設定温度値が受信した制限温度値の範囲外の場合には、表示部２５に表示している設定温度値と、記憶部２３に格納された設定温度値とを受信した制限温度値に変更し、表示部２５に表示され、記憶部２３に格納された制限解除許可温度値と復帰時間値とを消去する。（ＳＴ２７）。そして、ＳＴ２１へジャンプする。
【００５８】
室内機から受信したデータが制限温度設定データでは無い場合（ＳＴ２６−Ｎ）、受信したデータが制限解除データか否かを確認する（ＳＴ２８）。受信したデータが制限解除データの場合（ＳＴ２８−Ｙ）、受信した制限解除データの制限解除許可温度値がリモコン記憶部２３に格納された制限解除許可温度値よりも大きいか否かを確認する（ＳＴ２９）。受信した制限解除データの制限解除許可温度値がリモコン記憶部２３に格納された制限解除許可温度値よりも小さい場合（ＳＴ２９−Ｎ）、ＳＴ２１へジャンプする。また
、受信した制限解除データの制限解除許可温度値がリモコン記憶部２３に格納された制限解除許可温度値よりも大きい場合（ＳＴ２９−Ｙ）、リモコン記憶部２３に格納されている制限解除許可温度値と復帰時間値とを、受信した制限解除データの制限解除許可温度値と復帰時間値とに変更し、これらを表示部２５に表示する（ＳＴ３０）。そして、ＳＴ２１へジャンプする。
なお、詳しくは制限解除許可温度値を表示する場合には制限温度値から制限解除許可温度値を減じた制限解除許可温度範囲を計算して表示する。
【００５９】
室内機から受信したデータが制限解除データでは無い場合（ＳＴ２８−Ｎ）、例えばエラー表示などの受信データであればその内容に従い制御する（ＳＴ３１）。そして、ＳＴ２１へジャンプする。
【００６０】
一方、キー入力部２６からの入力が有った場合（ＳＴ２２−Ｙ）、キー入力の内容が温度設定変更か否かを確認する（ＳＴ３２）。キー入力の内容が温度設定変更では無い場合（ＳＴ３２−Ｎ）、例えば風量や風向指示などのであればキー入力の内容に従い制御を実施する（ＳＴ３３）。そして、ＳＴ２１へジャンプする。
【００６１】
キー入力の内容が温度設定変更の場合（ＳＴ３２−Ｙ）、入力された変更温度値が記憶部２３に格納された制限温度値の範囲内か否かを確認する（ＳＴ３４）。入力された変更温度値がリモコン記憶部２３に格納されている制限温度値の範囲内の場合（ＳＴ３４−Ｙ）、リモコン記憶部２３に格納されている設定温度値を入力された設定温度値に変更し
、入力された変更温度値を設定温度とした設定温度変更データをリモコン通信部２１からリモコン通信線２を介してグループ化された複数の室内機へ送信する（ＳＴ３５）。そして、ＳＴ２１へジャンプする。
【００６２】
入力された変更温度値がリモコン記憶部２３に格納されている制限温度値の範囲外の場合（ＳＴ３４−Ｎ）、入力された変更温度値がリモコン記憶部２３に格納されている制限温度値に制限解除許可温度値を減じて計算した制限解除許可温度範囲内か否かを確認する（ＳＴ３６）。入力された設定温度値が計算した制限解除許可温度範囲内の場合（ＳＴ３６−Ｙ）、リモコン記憶部２３に格納されている設定温度値を入力された設定温度値に変更し、入力された設定温度値を設定温度とした設定温度変更データをリモコン通信部２１からリモコン通信線２を介して制限解除データを送信した室内機を対象として送信し、リモコン記憶部２３に格納されている復帰時間を読出し復帰時間値からのタイマカウントを開始する（ＳＴ３７）。そして、ＳＴ２１へジャンプする。
なお、ＳＴ３７の復帰時間値からのタイマカウント開始が、ＳＴ２３で記した制限解除運転中に行われる復帰時間のタイマカウントである。
【００６３】
入力された設定温度の変更値が計算した制限解除許可温度範囲では無い場合（ＳＴ３６−Ｎ）、表示部２５へ変更温度値が許可されていないことを操作エラーとして表示し、合わせて変更操作前の設定温度の表示に戻す（ＳＴ３８）。そして、ＳＴ２１へジャンプする。
【符号の説明】
【００６４】
１  通信線
２  リモコン通信線（グループＸ）
３  リモコン通信線（グループＹ）
１０ａ  室内機Ａ
１０ｂ  室内機Ｂ
１０ｃ  室内機Ｃ
１０ｄ  室内機Ｄ
１０ｅ  室内機Ｅ
１１  室内機リモコン通信部
１２  室内機制御部
１３  室内機記憶部
１４  室内機温度検出部
１５  室内機通信部
２０ａ  ワイヤードリモコンＸ
２０ｂ  ワイヤードリモコンＹ
２１  リモコン通信部
２２  リモコン制御部
２３  リモコン記憶部
２４  室温検出部
２５  表示部
２６  キー入力部
３０  集中管理装置
４０  室外機
【図１】
2013076525.tif 000003
【図２】
2013076525.tif 000004
【図３】
2013076525.tif 000005
【図４】
2013076525.tif 000006
【図５】
2013076525.tif 000007
【図６】
2013076525.tif 000008
【図７】
2013076525.tif 000009